【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
情報処理あるいは送受信を指示する第一の操作部を有す第一の筐体と、処理情報あるいは受信情報を表示する表示部を有す第二の筐体と、前記第一の筐体と第二の筐体を折畳み可能とする第一の回動軸と、前記第一の回動軸に直交する第二の回動軸で前記第一の筐体と第二の筐体を支承し、前記第一の筐体と第二の筐体の少なくとも一方に送受信部を設けた携帯端末装置において、
前記第一の筐体の前記第一の操作部を設けた面に撮像部を配し、前記第二の筐体の前記表示部を設けた面に第二の操作部を配し、前記折畳み状態から第一の回動軸を回動させて展開したとき、前記第一の筐体の前記第一の操作部と前記撮像部と、前記第二の筐体の前記第二の操作部と前記表示部が展開面に露出することを特徴とする携帯端末装置。
【請求項２】
前記請求項１記載の携帯端末装置において、
前記第一の筐体の第一の操作部と前記撮像部の撮像開口部の成す面を第一の面とし、前記第二の筐体の前記表示部と第二の操作部側を第二の面とするとき、前記第二の回動軸で前記第二の筐体を回動させて、前記第一の面と前記第二の面を互いに表裏の関係で保持し、前記第一の操作部と第二の操作部のいずれにおいても操作可能であることを特徴とする携帯端末装置。
【請求項３】
情報処理あるいは送受信を指示する第一の操作部を有す第一の筐体と、処理情報あるいは受信情報を表示する表示部を有す第二の筐体と、前記第一の筐体と第二の筐体を折畳み可能とする第一の回動軸と、前記第一の回動軸に直交する第二の回動軸で前記第一の筐体と第二の筐体を支承し、前記第一の筐体と第二の筐体の少なくとも一方に送受信部を設けた携帯端末装置において、
前記第一の筐体の側面に着脱自在の撮像部を配し、前記着脱自在の撮像部の撮像開口部を、前記第一の筐体の前記第一の操作部面側及び裏面側に配設可能としたことを特徴とする携帯端末装置。
【請求項４】
前記請求項３記載の携帯端末装置において、
前記着脱自在の撮像部に前記第一の筐体と係止する第一の案内部と映像信号を送る第一の接続端子を配し、前記第一の筐体に前記着脱自在の撮像部を係止する第二の案内部と前記着脱自在の撮像部の映像信号を受ける第二の接続端子を配し、前記第一の案内部と前記第二の案内部を係止すると共に、前記第一の接続端子と前記第二の接続端子を接続し、前記第一の筐体の側面に前記着脱自在の撮像部を配した携帯端末装置。
【請求項５】
前記請求項４記載の携帯端末装置において、
前記第一の操作部面側から裏面側に向かう方向の長さを前記着脱自在の撮像部の幅とすると、前記着脱自在の撮像部に前記第一の筐体と係止する前記第一の案内部を、前記着脱自在の撮像部の外側に設け、さらに前記第一の案内部を前記幅に対して非対称位置に配した携帯端末装置。
【請求項６】
情報処理あるいは送受信を指示する第一の操作部を有す第一の筐体と、処理情報あるいは受信情報を表示する表示部を有す第二の筐体と、前記第一の筐体と第二の筐体を折畳み可能とする第一の回動軸と、前記第一の回動軸に直交する第二の回動軸で前記第一の筐体と第二の筐体を支承し、前記第一の筐体と第二の筐体の少なくとも一方に送受信部を設けた携帯端末装置において、
前記第一の筐体の側面に回転可能の撮像部を配し、前記回転可能の撮像部の撮像開口部を、前記第一の筐体の前記第一の操作部面側及び裏面側には回転可能としたことを特徴とする携帯端末装置。
【請求項７】
前記請求項６記載の携帯端末装置において、
前記第一の筐体と前記回転可能の撮像部を回転可能に支承する回転軸を有し、前記回転軸の軸芯を略中心に巻回す可撓性基板を介して、撮像信号を前記第一の筐体側に送出することを特徴とする携帯端末装置。
【請求項８】
情報処理あるいは送受信を指示する第一の操作部を有す第一の筐体と、処理情報あるいは受信情報を表示する表示部を有す第二の筐体と、前記第一の筐体と第二の筐体を折畳み可能とする第一の回動軸と、前記第一の回動軸に直交する第二の回動軸で前記第一の筐体と第二の筐体を支承し、前記第一の筐体と第二の筐体の少なくとも一方に送受信部を設けた携帯端末装置において、
前記第一の筐体に撮像部を有し、上下に異なる種類の光学レンズを有したコの字形状の部材を配し、前記コの字形状の部材を前記第一の筐体に装着可能とすると共に、前記撮像部の撮像開口部に前記光学レンズを配することを特徴とする携帯端末装置。
【請求項９】
請求項１乃至７のいずれか一つに記載の携帯端末装置において、
上下に異なる種類の光学レンズを有したコの字形状の部材を、撮像開口部に着脱自在に装着することを特徴とする携帯端末装置。
【請求項１０】
請求項１、３または６記載の携帯端末装置において、
前記第一の筐体と前記第二の筐体を開いた状態で、外部被写体を撮像し、前記撮像の画像情報を送信することを特徴とする携帯端末装置。
【請求項１１】
請求項３または６記載の携帯端末装置において、
前記第一の筐体の前記第一の操作部の成す面を正面とすると、前記第二の筐体の前記表示部の成す面を裏面とする状態に、前記第一の筐体と前記第二の筐体を折畳み、撮像部の開口部の向く方向と前記表示部の成す平面が直交する状態で外部被写体を撮像し、前記撮像の画像情報を送信することを特徴とする携帯端末装置。
【請求項１２】
ユーザが入力操作を行うのに用いられる操作部を有する第一の筐体と、
情報を表示可能な表示部を有する第二の筐体と、
前記第一の回動軸を中心に回動し、前記第一の筐体と前記第二の筐体とを折畳み可能にする第一の回動部と、
前記第一の回動軸に直交する第二の回動軸を中心に前記第二の筐体を回転可能な第二の回動部と、
前記第一の回動部により前記第一の筐体と前記第二の筐体とを折畳んだときに覆い隠される位置に配置されたカメラと、
を備えることを特徴とする携帯端末装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
【課題を解決するための手段】
本発明にかかる携帯端末装置は、ユーザが入力操作を行うのに用いられる操作部を有する第一の筐体と、情報を表示可能な表示部を有する第二の筐体と、前記第一の回動軸を中心に回動して前記第一の筐体と前記第二の筐体とを折畳み可能にする第一の回動部と、前記第一の回動軸に直交する第二の回動軸を中心に前記第二の筐体を回転可能な第二の回動部と、を備える。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００５７
【補正方法】変更
【補正の内容】
【００５７】
本実施例にかかる撮像カメラ付携帯用電話機のような携帯端末装置によれば、主なる操作を行う第一の操作部と撮像カメラを同一面には配してあり、副なる操作を行う第二の操作部と表示部を別の同一面に配しているが、折畳み状態から開くことでこれら操作部、表示部と撮像カメラ部が一回の開き動作で、使用者自身を正面から写す状態に準備でき操作が簡便になる。
そして、表示部を折畳みおよび回動自在に構成してあるので、撮像カメラを正面配置から背面にもカメラ開口部を向けられるようなる。そこで本実施例によれば外部被写体を写す状態に容易に設定でき、さらには折畳み状態で撮像カメラとして使えるので、表示部でモニタしながら小型で携帯に便利な撮像カメラ付携帯端末装置となる。
さらに次のような従来にない使用もできる。まず、第一の使用者が被写体になり操作をするとともに、第二の使用者が表示部を見たり操作をしたりして、２人の利用者が同時に使用することで、従来の携帯電話では考えられなかった新しい活用法が生まれてくる。
また、折畳んだ状態の活用法として、車の位置情報や歩行者位置情報機器として利用する。すなわち、表示部で位置情報を利用者に伝え、利用者は撮像カメラで情報提供できる。以上説明したように、本実施例によれば、従来のテレビ電話機能にとどまらず、新しい携帯端末装置として社会に提供できる。
【手続補正８】
【補正対象書類名】明細書
【補正対象項目名】００５８
【補正方法】変更
【補正の内容】
【００５８】
以上説明したように、本発明の目的は、第一として、主なる使用であるテレビ電話使用時に表示部と操作部とカメラ撮像方向を使用者側に向け、使用者が表示を見ながら操作できるようにすること、また、使用者正面を被写体としながら操作できるようにすること、そしてこれらの状態に使用者の１回動作で設定できるようにすることにある。第二として、使用者の前方方向の外部被写体を撮像する時に表示部と操作部を使用者側に、外部被写体方向にカメラを向けるようにできることにある。第三として、主なる第一使用者に対面する形で副なる第二の使用者と共に使用できるようにすることにある。以上３つの機能を実現する携帯端末装置を提供するものである。
【手続補正９】
【補正対象書類名】明細書
【補正対象項目名】００５９
【補正方法】変更
【補正の内容】
【００５９】
上記の第一の目的を達成するために、第一に主なる操作を行う第一の筐体に撮像カメラを配し、表示部を有す第二の筐体に副なる操作部を配して、第一の筐体と第二の筐体を折畳み可能な第一の回動軸で支承している。第二に第一の筐体と第二の筐体それぞれに操作部を配している。そして第一の筐体と第二の筐体の折畳みを１回の動作で開き、この目的の状態に設定する。
上記の第二の目的を達成するために、第一に第一の筐体と第二の筐体を折畳み可能な第一の回動軸と、この回動軸に直交する第二の回動軸で支承している。第二に撮像カメラ部を着脱自在に配してある。第三に回転可能な撮像カメラを配してある。
上記の第三の目的を達成するために、第一に前述の第一に主なる操作を行う第一の筐体に撮像カメラを配し、表示部を有す第二の筐体に副なる操作部を配している。第二に第一の筐体と第二の筐体を折畳み可能な第一の回動軸と、この回動軸に直交する第二の回動軸で支承している。第三に撮像カメラ部を着脱自在に配してある。第四に回転可能な撮像カメラを配してある。
以上、第一〜三の目的を達成するために、第一の筐体に第一に主なる操作を行う第一の操作部と撮像カメラを配し、第二の筐体に副なる操作部と表示部を配してある。そして第一の筐体と第二の筐体は折畳み可能とする第一の回動軸とこの回動軸に直交する第二の回動軸で支承している。撮像カメラ部は固定設置のみならず、着脱機能、回転機能から成っている。さらに本発明の利便性を向上するために装着可能な光学レンズ構造体を提供する。
【手続補正１０】
【補正対象書類名】明細書
【補正対象項目名】００６０
【補正方法】変更
【補正の内容】
【００６０】
【発明の効果】
本発明によれば、カメラの撮像自由度を有する折畳み式携帯端末装置である携帯電話機を提供することができる。